(57)【要約】【課題】ステントを形成することなく、インプラント窩を適切に形成することができ、さらに低コストで手術時間を短縮すること。【解決手段】インプラントの埋入位置にインプラント窩を形成する際に、ハンドピースに装着された切削バーをガイドするガイド治具（１）に、長尺状のハンドル部（１１）と、ハンドル部（１１）の先端側を支持するポール部（１２）と、ハンドル部（１１）の先端側において切削バーをガイドするガイド部（１３）とを設ける構成にした。また、ポール部（１２）は、ハンドル部（１１）の先端側から切削バーによる切削方向とは逆向きに突出する構成にした。【選択図】図１
2014113429.tif 000002
【特許請求の範囲】
【請求項１】
インプラントの埋入位置にインプラント窩を形成する際に、ハンドピースに装着された切削バーをガイドするためのガイド治具であって、
長尺状のハンドル部と、
前記ハンドル部の先端側を支持するポール部と、
前記ハンドル部の先端側において前記切削バーをガイドするガイド部とを備え、
前記ポール部及び前記ガイド部の少なくとも一方は、前記ハンドル部の先端側から前記切削バーによる切削方向とは逆向きに突出することを特徴とするガイド治具。
【請求項２】
前記ポール部が、前記ハンドル部の先端側から前記切削バーによる切削方向とは逆向きに突出することを特徴とする請求項１に記載のガイド治具。
【請求項３】
前記ポール部が、前記インプラント窩の目標深さに対応した全長を有することを特徴とする請求項１または請求項２に記載のガイド治具。
【請求項４】
前記ポール部は、前記ハンドル部の先端に設けられ、
前記ガイド部は、前記ハンドル部側からみて前記ポール部の奥側に設けられることを特徴とする請求項１から請求項３のいずれかに記載のガイド治具。
【請求項５】
前記ポール部は、前記ハンドル部の先端に設けられ、
前記ガイド部は、前記ハンドル部側からみて前記ポール部に横並びに設けられることを特徴とする請求項１から請求項３のいずれかに記載のガイド治具。
【請求項６】
前記切削バーは、前記ハンドピースに装着されるチャック部と、前記チャック部から前記切削方向に延びる切削部とを有しており、
前記切削部の外径は、前記チャック部の外径よりも小さく、
前記ガイド部は、前記チャック部の外径よりも小さく、かつ前記切削部の外径に対応したガイド面を有することを特徴とする請求項１から請求項５のいずれかに記載のガイド治具。
【請求項７】
前記ガイド部は、前記ポール部よりも前記切削方向とは逆向きに突出することを特徴とする請求項６に記載のガイド治具。
【発明の詳細な説明】
【技術分野】
【０００１】
本発明は、インプラント（人工歯根）が埋入されるインプラント窩（埋入穴）を形成する際に、ハンドピースに装着された切削バーをガイドするためのガイド治具に関する。
【背景技術】
【０００２】
インプラント治療においては、周辺部位の損傷や人工歯冠取り付け後の咬合不良等を起こさないように、歯槽骨におけるインプラント窩の位置、方向、深さが重要になっている。インプラントの治療方法として、患者の歯型模型上でインプラント窩の位置決め用のステントを作成してインプラント埋入手術に臨む方法や、顎骨のＣＴスキャン画像を用いてステントを作成してインプラント埋入手術に臨む方法（特許文献１参照）が知られている。さらに、ステントを使用せずにインプラント埋入手術に臨む方法も知られている。
【先行技術文献】
【特許文献】
【０００３】
【特許文献１】特開２００８−３０７２８１号公報
【発明の概要】
【発明が解決しようとする課題】
【０００４】
患者の歯型模型上でステントを作成する方法では、ステントに形成されたガイド穴の位置がインプラント窩の埋入位置から僅かに外れる等、手術時に十分な効果を発揮できないことがある。さらに、ステントを装着した状態ではインプラント窩の深さを微調整することが困難であり、下顎神経や上顎洞までの距離が短い場合等には、ステントを外した状態で、切削バーにストッパーを装着して深さ微調整する必要があった。このため、深さ調整等に手間がかかり、手術時間が長くなって患者の負担が大きくなるおそれがあった。
【０００５】
特許文献１に記載の顎骨のＣＴスキャン画像を用いてステントを作成する方法では、デジタルデータを用いてステントに対して適切なガイド穴を形成することができため、インプラント窩の位置、方向、深さの精度が良く、手術時間を短縮することができるが、ＣＴ撮影機器等の設備が必要であり、設置コストが高くなる。さらに、ステントを使用しない方法では、事前に咬合関係を確認して最適な切削位置を決定しても、目視による切削なのでインプラント窩を適切に形成できないおそれがあった。特に、出血等によって切削バーの先が適切な位置に当っているかを目視することが困難となっていた。
【０００６】
本発明はかかる点に鑑みてなされたものであり、ステントを形成することなく、インプラント窩を適切に形成することができ、さらに低コストで手術時間を短縮することができるガイド治具を提供することを目的とする。
【課題を解決するための手段】
【０００７】
本発明のガイド治具は、インプラントの埋入位置にインプラント窩を形成する際に、ハンドピースに装着された切削バーをガイドするためのガイド治具であって、長尺状のハンドル部と、前記ハンドル部の先端側を支持するポール部と、前記ハンドル部の先端側において前記切削バーをガイドするガイド部とを備え、前記ポール部及び前記ガイド部の少なくとも一方は、前記ハンドル部の先端側から前記切削バーによる切削方向とは逆向きに突出することを特徴とする。
【０００８】
この構成によれば、対合歯との咬合関係を確認しながら、ガイド治具を動かして適切な位置と方向に切削バーをガイドできる。また、ハンドル部の先端側から突出したポール部又はガイド部を目視して、インプラント窩の位置や方向を確認することができる。このとき、切削バーの先端でインプラント窩の位置や方向を確認する場合とは異なり、出血等によって目視し難くなることがない。このように、目視しながらガイド治具を用いて、理想的な位置と方向にインプラント窩を形成でき、咬合関係の良い上部構造（人工歯冠）を製作できる。また、ポール部及びガイド部の突出部分がハンドピースに突き当たることで、切削バーの切削深さを規制することができる。よって、深さ調整が不要となって手術時間を短縮することができ、意図しない周辺部位を傷つけることがない。さらに、ステントの製作や高度な設備が不要であり、コストを低減することができる。
【０００９】
また本発明の上記ガイド治具において、前記ポール部が、前記ハンドル部の先端側から前記切削バーによる切削方向とは逆向きに突出する。この構成によれば、歯槽骨上でハンドル部を支持するポール部にハンドピースが突き当ることで、ハンドピースからの衝撃を安定的に受けることができ、ハンドル部の手ブレを防止できる。
【００１０】
また本発明の上記ガイド治具において、前記ポール部が、前記インプラント窩の目標深さに対応した全長を有する。この構成によれば、ポール部の突出部分にハンドピースが突き当たることで、インプラント窩が目標深さ以上に切削されることがなく、適切な深さのインプラント窩を形成できる。
【００１１】
また本発明の上記ガイド治具において、前記ポール部は、前記ハンドル部の先端に設けられ、前記ガイド部は、前記ハンドル部側からみて前記ポール部の奥側に設けられる。この構成によれば、上下顎前歯のインプラント窩を形成する際に、切削バーを適切にガイドすることができる。
【００１２】
また本発明の上記ガイド治具において、前記ポール部は、前記ハンドル部の先端に設けられ、前記ガイド部は、前記ハンドル部側からみて前記ポール部に横並びに設けられる。この構成によれば、上下顎大臼歯のインプラント窩を形成する際に、切削バーを適切にガイドすることができる。
【００１３】
また本発明の上記ガイド治具において、前記切削バーは、前記ハンドピースに装着されるチャック部と、前記チャック部から前記切削方向に延びる切削部とを有しており、前記切削部の外径は、前記チャック部の外径よりも小さく、前記ガイド部は、前記チャック部の外径よりも小さく、かつ前記切削部の外径に対応したガイド面を有する。この構成によれば、切削バーの切削部だけがガイド部にガイドされ、チャック部がガイド部に突き当たることで、切削バーの切削深さを規制することができる。
【００１４】
また本発明の上記ガイド治具において、前記ガイド部は、前記ポール部よりも前記切削方向とは逆向きに突出する。この構成によれば、ハンドピースがポール部に突き当たる前に、チャック部をガイド部に突き当てて切削バーの切削深さを規制することができる。
【発明の効果】
【００１５】
本発明のガイド治具によれば、対合歯との咬合関係を確認しながら、ガイド治具を動かして適切な位置に切削バーをガイドできるので、インプラント窩を適切に形成することができる。また、切削バーによる切削深さが規制されるので、意図しない周辺部位を傷つけることなく、手術時間を短縮することができる。さらに、ステントの製作や高度な設備が不要であり、コストを低減することができる。
【図面の簡単な説明】
【００１６】
【図１】本実施の形態に係るガイド治具の斜視図である。
【図２】本実施の形態に係るガイド治具の側面図である。
【図３】本実施の形態に係る数種類のガイド治具の上面図である。
【図４】本実施の形態に係るガイド治具の使用方法の説明図である。
【図５】変形例に係るガイド治具の斜視図である。
【図６】変形例に係るガイド治具の使用方法の説明図である。
【図７】他の変形例に係るガイド治具の使用方法の説明図である。
【発明を実施するための形態】
【００１７】
以下、添付図面を参照して本実施の形態について詳細に説明する。図１は、本実施の形態に係るガイド治具の斜視図である。図２は、本実施の形態に係るガイド治具の側面図である。なお、図１及び図２においては、上下顎前歯用のガイド治具を例示して説明する。
【００１８】
図１及び図２に示すように、ガイド治具１は、患者の口腔内に挿入されてインプラント窩の切削をガイドするものであり、長尺状のハンドル部１１の先端側にポール部１２及びガイド部１３を設けて構成される。ハンドル部１１は、断面視矩形状であり、先端側を口腔内に挿入させた状態で、基端側を把持して動かせるように十分な長さを有している。ハンドル部１１の先端には、ハンドル部１１の先端側を歯槽骨２５（図４参照）上で支持するポール部１２が設けられている。ポール部１２は、円柱状に形成されており、起立姿勢でハンドル部１１の先端に固定されている。
【００１９】
ポール部１２の一端側には、ハンドル部１１の下面１５から突出して、下方に向かって縮径する先細形状の当接部１７が形成されている。ポール部１２は、この当接部１７が歯槽骨２５上に当接されることで、当接部１７を支点として傾倒可能及び回転可能に支持される。ポール部１２の他端側には、ハンドル部１１の上面１６から突出して、切削バー２１（図４参照）による切削量を規制する規制面１８が形成されている。規制面１８は、インプラント窩の切削中にハンドピース２２のヘッド２３に突き当たることで、目標深さよりも深い位置への切削バー２１の下降を規制している。
【００２０】
この場合、ポール部１２は、インプラント窩の目標深さに対応した長さを有している。すなわち、ポール部１２は、ハンドピース２２のヘッド２３から突出した切削バー２１の長さとインプラント窩の目標深さとを考慮して設計されている。これにより、例えば、インプラント窩が目標深さ以上に切削されることがなく、適切な深さのインプラント窩が形成される。よって、下顎神経や上顎洞までの距離が短い場合等に、周辺部位が傷付けられることがない。なお、ポール部１２の全長ではなく、切削バー２１の長さを可変させて、インプラント窩の深さを調整することも可能である。
【００２１】
ポール部１２には、ハンドル部１１側からみて奥側に、切削バー２１をガイドするガイド部１３が設けられている。ガイド部１３は、円筒のチューブ状に形成されており、ポール部１２と平行になるようにポール部１２の外周面に固定されている。ガイド部１３は、ハンドル部１１の縦幅と略同じ長さを有しており、ポール部１２の規制面１８よりも低い位置に位置付けられている。また、ガイド部１３の内周面の内径は、切削バー２１の外径に合わせて形成されている。ガイド部１３の内側に切削バー２１が挿入されることで、ガイド部１３の内周面に沿って切削バー２１による切削がガイドされる。
【００２２】
このように構成されたガイド治具１は患者の口腔内に挿入され、ポール部１２によって歯槽骨２５上に支持される。そして、ハンドル部１１を動かすことで、当接部１７を支点としてガイド部１３の向きや位置が調整される。ガイド部１３の向きや位置が容易に調整可能なため、術者の負担を軽減することが可能になっている。また、ポール部１２においてハンドル部１１から上方に突出した他端側を目視して、切削中にインプラント窩の位置や方向を確認することが可能になっている。このように、対合歯との咬合関係を確認しながら、適切な位置、方向、深さにインプラント窩が形成することが可能になっている。
【００２３】
なお、インプラント窩の穴径や使用するインプラントの種類に応じて、数種類のガイド治具が使い分けられてもよい。図３は、本実施の形態に係る数種類のガイド治具の上面図である。なお、図３Ａは、上下顎前歯用のガイド治具、図３Ｂは、上下顎前歯用のガイド治具の変形例、図３Ｃは、上下顎大臼歯用のガイド治具をそれぞれ示す。なお以下においては、説明の便宜上、同一の名称については同一の符号を付して説明する。
【００２４】
図３Ａに示すように、上下顎前歯用のガイド治具１は、ハンドル部１１側からみてポール部１２の奥側に縦並びにガイド部１３が設けられている。このため、口腔内の前方に並んだ上下顎前歯のインプラント窩を形成する際に、インプラント窩の位置や方向を確認しながら、切削バー２１（図４参照）を適切にガイドし易くなっている。上下顎前歯用のガイド治具は、ハンドル部１１側からみてポール部１２の奥側にガイド部１３が設けられればよく、図３Ｂに示すガイド治具１のように、ポール部１２の斜め奥側にガイド部１３が設けられてもよい。なお、図３Ｂに示すガイド治具１は、上下顎小臼歯に用いられてもよい。
【００２５】
図３Ｃに示すように、上下顎大臼歯用のガイド治具１は、ハンドル部１１側からみてポール部１２に横並びにガイド部１３が設けられている。このため、口腔内の奥方に並んだ上下顎大臼歯のインプラント窩を形成する際に、インプラント窩の位置や方向を確認しながら、切削バー２１を適切にガイドし易くなっている。この場合、図３Ｃの上側のガイド治具１は、ポール部１２の右側にガイド部１３が設けられ、下顎右側大臼歯及び上顎左側大臼歯に用いられる。また、図３Ｃの下側のガイド治具１は、ポール部１２の左側にガイド部１３が設けられ、下顎左側大臼歯及び上顎右側大臼歯に用いられる。
【００２６】
このように、口腔内の歯の位置に応じて、ガイド治具１が使い分けられている。また、インプラント窩は、数段階に分けて穴径が拡大されることで形成される。このため、各ガイド治具１について、切削バー２１の直径に合わせた内径のガイド部１３を備えたものが用意されている。例えば、各ガイド治具１は、直径２ｍｍの切削バー２１によるインプラント窩２８の形成時と直径３ｍｍの切削バー２１によるインプラント窩２８の拡張時で使い分けられる。なお、各ガイド治具１は、ポール部１２が直径２ｍｍ及び全長１０ｍｍ、ガイド部１３が全長５ｍｍに設計されることが好ましい。
【００２７】
図４を参照して、ガイド治具の使用方法について説明する。図４は、本実施の形態に係るガイド治具の使用方法の説明図である。なお、図４においては、下顎右側大臼歯のインプラント窩を形成する例について説明するが、他の歯のインプラント窩の形成時についてもガイド治具の使用方法は同じである。また、ここでは、図３Ｃの上側のガイド治具を用いる場合について説明する。
【００２８】
図４Ａに示すように、歯槽骨２５上のインプラントの埋入位置に、ラウンドバー（不図示）により直径２ｍｍ、深さ１ｍｍ程度のマーキング用の穴２６が形成される。これにより、インプラント窩２８の形成位置が歯槽骨２５上に定められる。実際の歯槽骨２５の表面は平らではなく出血等していることが多いので、術者はこの穴２６を手掛かりにインプラントの埋入位置を確認することが可能になっている。
【００２９】
次に、図４Ｂに示すように、直径２ｍｍの切削バー２１用のガイド治具１が口腔内に挿入され、穴２６の１ｍｍ後方（遠心）位置にポール部１２の先細形状の当接部１７が当接される。これにより、ガイド治具１の先端側が歯槽骨２５上で安定的に支持される。そして、咬合関係を確認しながら、当接部１７を支点としてハンドル部１１（図３Ｃ参照）を動かすことで、ガイド治具１による最適なガイド方向が決定される。このとき、ハンドル部１１から上方に突出したポール部１２の他端側を目視することで、ガイド部１３の傾き等を確認することが可能になっている。
【００３０】
次に、図４Ｃに示すように、ガイド治具１によるガイド方向が決定したら、ハンドル部１１を固定した状態でガイド部１３の穴に直径２ｍｍの切削バー２１が挿入される。そして、ハンドピース２２を駆動させて、切削バー２１によるインプラント窩の形成が開始される。ガイド部１３は、ポール部１２に対して平行に切削バー２１をガイドするため、ポール部１２の他端側（上端側）を目視することでインプラント窩２８の切削状況を確認することが可能になっている。したがって、切削バー２１の先端を直に目視してインプラント窩の切削状況を確認する場合と異なり、出血等によって目視し難くなることがない。
【００３１】
次に、図４Ｄに示すように、ハンドピース２２のヘッド２３がポール部１２の他端側の規制面１８に突き当たるまで切削される。このとき、ポール部１２がインプラント窩２８の目標深さに応じた長さを有しているため、切削バー２１がインプラント窩２８の目標深さよりも削り過ぎることがなく、下顎神経２７（上顎側の歯の加工時には上顎洞）等の周辺部位が傷付けられることがない。また、ハンドピース２２がポール部１２に突き当てられることで、歯槽骨２５上のポール部１２によって安定的に受けることができ、ハンドル部１１の手ブレを防止できる。このようにして、直径２ｍｍのインプラント窩２８が形成される。
【００３２】
続いて、直径３ｍｍの切削バー２１用のガイド治具１が口腔内に挿入され、同様な手順でインプラント窩２８の直径が３ｍｍに拡大される。そして、インプラント・システムに応じた最終の切削バーでインプラント窩２８が拡張され、インプラント窩２８の形成が終了する。その後、インプラント窩２８にインプラントが埋入され、アバットメントを介して上部構造（人工歯冠）が装着される。
【００３３】
以上のように、本実施の形態によれば、対合歯との咬合関係を確認しながら、ガイド治具１を動かして適切な位置に切削バー２１をガイドできる。また、ハンドル部１１の先端側から突出したポール部１２を目視して、インプラント窩２８の位置や方向を確認することができる。このとき、切削バー２１の先端を目視してインプラント窩２８の位置や方向を確認する場合とは異なり、出血等によって目視し難くなることがない。このように、目視しながらガイド治具１を用いて、理想的な位置と方向にインプラント窩２８を形成でき、咬合関係の良い上部構造（人工歯冠）を製作できる。また、ポール部１２がハンドピースに突き当たることで、切削バー２１の切削深さを規制することができる。よって、深さ調整が不要となって手術時間を短縮することができ、意図しない周辺部位を傷つけることがない。さらに、ステントの製作や高度な設備が不要であり、コストを低減することができる。
【００３４】
なお、本発明は上記各実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３５】
例えば、本実施の形態においては、ポール部１２の規制面１８にハンドピース２２のヘッド２３が突き当たることで、切削バー２１の下降が規制される構成としたが、この構成に限定されない。図５の変形例に示すように、切削バー２１の下降がガイド部１３によって規制される構成としてもよい。この場合、切削バー２１は、基端側の所定長がハンドピース２２に装着されるチャック部３１になっており、チャック部３１から下方（切削方向）に延びる部分が切削刃を持つ切削部３２なっている。この場合、チャック部３１の一部がハンドピース２２にチャックされ、チャック部３１の残り部分は切削部３２と共に外部に露出される（図６参照）。切削部３２の外径は、チャック部３１の外径よりも小径であり、切削部３２とチャック部３１との境界に段差が形成されている。例えば、チャック部３１の外径は２．２ｍｍ、切削部３２の外径は２．０ｍｍに形成されている。また、切削部３２は、全長にわたって切削刃が形成されている必要はなく、本実施の形態のように途中部分から先端に向かって設けられていればよい。
【００３６】
また、ガイド部１３の内周面は、切削部３２をガイドするガイド面３３になっており、チャック部３１の外径よりも小さく、かつ切削部３２の外径に対応して形成されている。例えば、ガイド面３３は、切削部３２に対して僅かに遊びを設けて直径２．０５ｍｍに形成されている。このように、ガイド部１３の内周のガイド面３３は、切削バー２１の基端側のチャック部３１を除いた切削部３２だけが挿通可能に形成されている。このとき、ガイド部１３の上面３４は、切削バー２１による切削量を規制する規制面として機能する。インプラント窩２８の切削中に、このガイド部１３の上面３４にチャック部３１が突き当たることで、目標深さよりも深い位置への切削バー２１の下降が規制される。
【００３７】
図６に示すように、切削バー２１によるインプラント窩２８の形成が開始されると、チャック部３１がガイド部１３の上面３４に突き当たるまで歯槽骨２５が切削される。このとき、切削バー２１の切削部３２だけがガイド部１３にガイドされ、チャック部３１の段差がガイド部１３に突き当たることで、切削バー２１の下降が規制される。よって、チャック部３１の長さをインプラント窩の目標深さを考慮して設計することで、インプラント窩２８の目標深さよりも削り過ぎることがなく、下顎神経２７（上顎側の歯の加工時には上顎洞）等の周辺部位が傷付けられることがない。
【００３８】
また、上記した変形例では、ガイド部１３よりもポール部１２が上方に突出したが、この構成に限定されない。図７の他の変形例に示すように、ガイド部１３がポール部１２よりも上方に突出してもよい。これにより、ハンドピース２２がポール部１２に突き当たる前に、チャック部３１がガイド部１３に突き当ることで切削バー２１の切削深さが規制される。よって、異なるメーカの切削バー２１であっても、切削バー２１の下降をガイド部１３で規制できる。なお、ガイド部１３の上面がポール部１２の上面と面一に形成されてもよい。
【００３９】
また、本実施の形態及び各変形例において、ハンドル部１１の先端側からポール部１２が切削バー２１による切削方向とは逆向きに突出する構成としたが、この構成に限定されない。ポール部１２及びガイド部１３の少なくとも一方が、ハンドル部１１の先端側から切削バー２１による切削方向とは逆向きに突出していればよい。例えば、ポール部１２及びガイド部１３の両方がハンドル部１１の先端側から突出して面一の規制面１８を形成してもよいし、ガイド部１３だけがハンドル部１１の先端側から突出してもよい。
【００４０】
また、本実施の形態及び各変形例において、ポール部１２がハンドル部１１の先端に設けられ、ポール部１２の外周面にガイド部１３が設けられる構成としたが、この構成に限定されない。ポール部１２は、ハンドル部１１の先端側を支持可能な位置であれば、どのように設けられていてもよい。ガイド部１３は、ハンドル部１１の先端側において切削バー２１をガイド可能であれば、どのように設けられていてもよい。
【００４１】
また、本実施の形態及び各変形例において、ハンドル部１１が断面視矩形状で長尺に形成されたが、この形状に限定されない。ハンドル部１１は、先端側を口腔内に挿入させた状態で、基端側を把持して動かせるように十分な長さを有していればよい。
【００４２】
また、本実施の形態及び各変形例において、ポール部１２が円柱状に形成されたが、この形状に限定されない。ポール部１２は、ハンドル部１１の先端側を支持可能な形状であれば、どのような形状でもよい。また、ポール部１２の当接部１７も先細形状に限定されない。
【００４３】
また、本実施の形態及び各変形例において、ガイド部１３がチューブ状に形成されたが、この形状に限定されない。ガイド部１３は、ハンドル部１１の先端側において切削バー２１をガイド可能な形状であれば、どのような形状でもよい。
【００４４】
また、本実施の形態及び各変形例において、ハンドル部１１側からみてポール部１２の奥側又は横並びにガイド部１３が設けられる構成としたが、この構成に限定されない。ポール部１２に対するガイド部１３の位置は、歯の位置等に応じて適宜変更可能である。
【００４５】
また、本実施の形態において、ポール部１２がインプラント窩２８の目標深さに対応した長さを有する構成としたが、この構成に限定されない。ポール部１２は、インプラント窩２８が深くなり過ぎない程度で、切削バー２１による切削を規制可能な長さを有すればよい。この場合、ハンドピース２２のヘッド２３をポール部１２の規制面１８に突き当てる必要はない。
【００４６】
なお、本実施の形態及び各変形例において、ポール部１２の当接部１７の先端が、ポール部１２の中心軸上に形成される構成としたが、この構成に限定されない。当接部１７の先端は、ポール部１２の中心軸から偏心した位置に形成されてもよい。例えば、直径２ｍｍの切削バー２１用のガイド治具１は、当接部１７の先端がポール部１２の中心軸上に形成され、直径３ｍｍの切削バー２１用のガイド治具１は、当接部１７の先端がポール部１２の中心軸から偏心した位置に形成されてもよい。この場合、直径２ｍｍのインプラント窩２８の形成時と直径３ｍｍのインプラント窩２８の形成時とで、歯槽骨２５に対する当接部１７の当接位置が同じになるように、直径３ｍｍの切削バー２１用のガイド治具１の当接部１７の先端がポール部１２の中心軸から偏心した位置に形成される。これにより、直径２ｍｍの切削バー２１用のガイド治具１によるインプラント窩２８の形成後に、ポール部１２の当接位置を変えることなく、直径３ｍｍの切削バー２１用のガイド治具１でインプラント窩２８の拡張を実施することも可能である。
【産業上の利用可能性】
【００４７】
以上説明したように、本発明は、ステントを形成することなく、インプラント窩を適切に形成することができ、さらに低コストで手術時間を短縮することができるという効果を有し、特に、インプラント窩の形成時にハンドピースの切削バーをガイドするガイド治具に有用である。
【符号の説明】
【００４８】
１  ガイド治具
１１  ハンドル部
１２  ポール部
１３  ガイド部
１７  当接部
１８  規制面
２１  切削バー
２２  ハンドピース
２３  ヘッド
２５  歯槽骨
２７  下顎神経
２８  インプラント窩
３１  チャック部
３２  切削部
３３  ガイド面
３４  ガイド部の上面
【図１】
2014113429.tif 000003
【図２】
2014113429.tif 000004
【図３】
2014113429.tif 000005
【図４】
2014113429.tif 000006
【図５】
2014113429.tif 000007
【図６】
2014113429.tif 000008
【図７】
2014113429.tif 000009